(57)【要約】【課題】比較的低コストにて実施することができて、交換率の低い貸し玉・貸しメダルを交換率の高い貸し玉・貸しメダルに混入して用いたり、他店の貸し玉・貸しメダルを用いたりする不正行為を効果的に抑止することが可能な、貸し玉・貸しメダルの不正混入行為抑止方法を提供することを課題とする。【解決手段】本発明は、遊技場の入場者各人を個別に監視することは、人権上問題があるだけでなく、遊技場への出入り並びに遊技場内における移動が頻繁であるところから、実際上個別監視は困難であることに鑑み、各入場者に監視されていることを認識させさえすれば、ある程度の目的を達することができるとの発想の下になされたもので、貸し玉・貸しメダル１の表面に色、図形、模様、文字その他の識別要素２を付し、店内の貸し玉・貸しメダル１の存在する設備の任意の個所に、識別要素２の識別補助手段４を設置することを特徴とする。【選択図】図２
2011087643.tif 000002
【特許請求の範囲】
【請求項１】
貸し玉・貸しメダルの表面に色、図形、模様、文字その他の識別要素を付し、店内の前記貸し玉・貸しメダルの存在する設備の任意の個所に、前記識別要素の識別補助手段を設置することを特徴とする、貸し玉・貸しメダルの不正使用行為抑止方法。
【請求項２】
前記識別補助手段はブラックライトその他の照射手段であり、前記識別要素は前記照射手段の照射により発光する塗料層を含む、請求項１に記載の貸し玉・貸しメダルの不正使用行為抑止方法。
【請求項３】
前記照射手段の設置位置は、遊技機を複数備える島の任意の位置である、請求項２に記載の貸し玉・貸しメダルの不正使用行為抑止方法。
【請求項４】
前記照射手段の設置位置は、遊技機、玉・メダル貸し機又は玉・メダル計数機の内側又は外側である、請求項２又は３に記載の貸し玉・貸しメダルの不正使用行為抑止方法。
【請求項５】
前記照射手段は、入場者の目の届く位置に配備する、請求項２乃至４のいずれかに記載の貸し玉・貸しメダルの不正使用行為抑止方法。
【請求項６】
更に、前記識別要素を認識する手段を配置する、請求項１乃至５のいずれかに記載の貸し玉・貸しメダルの不正使用行為抑止方法。
【請求項７】
前記識別要素を認識する手段は、画像処理手段である、請求項６に記載の貸し玉・貸しメダルの不正使用行為抑止方法。
【請求項８】
前記識別要素を認識する手段は、光センサである、請求項６に記載の貸し玉・貸しメダルの不正使用行為抑止方法。
【請求項９】
前記識別要素を認識する手段は、前記識別要素を有しない貸し玉・貸しメダルを認識した際に外部報知するアラーム手段を有している、請求項６乃至８のいずれかに記載の貸し玉・貸しメダルの不正使用行為抑止方法。
【請求項１０】
前記アラーム手段は、光及び／又は音で外部報知する装置である、請求項９に記載の貸し玉・貸しメダルの不正使用行為抑止方法。
【請求項１１】
前記アラーム手段は、接点出力を用いて光及び／又は音で外部報知する装置である、請求項１０に記載の貸し玉・貸しメダルの不正使用行為抑止方法。
【請求項１２】
前記識別要素を認識する手段は、前記識別要素を有しない貸し玉・貸しメダルを認識した際に当該識別要素を有しない貸し玉・貸しメダルを排出する手段を有している、請求項７乃至１１のいずれかに記載の貸し玉・貸しメダルの不正使用行為抑止方法。
【請求項１３】
前記貸し玉・貸しメダルを排出する手段は、エアー又はソレノイドである、請求項１２に記載の貸し玉・貸しメダルの不正使用行為抑止方法。
【発明の詳細な説明】
【技術分野】
【０００１】
本発明は、貸し玉・貸しメダルの不正混入行為抑止方法、より詳細には、不正に混入された他店の、あるいは、別種の貸し玉・貸しメダル（コイン等も含む）を識別可能にし、且つ、その識別の事実を施設側の人員だけでなく、一般入場者にも認識可能にすることにより、かかる不正行為の発生を抑止するための方法に関するものである。
【背景技術】
【０００２】
最近のパチンコやスロットマシン等の遊技機施設においては、貸し玉・貸しメダルの交換率は必ずしも一律ではなく、店によって異なったり、あるいは、同一店において、階やコーナーにより貸し玉・貸しメダルの交換率を変えたりすることが行われている。その場合、店ごとに、あるいは、同一店の階やコーナーごとに貸し玉・貸しメダルを区分けする必要が生ずる。
【０００３】
例えば、同一店の階やコーナーで交換率が異なる場合には、貸し玉・貸しメダルを所持しての階ごとの、あるいは、コーナー間での移動を禁止することが行われるが、ポケットに忍ばせたりして移動するような行為まで阻止することはできない。また、他店の貸し玉・貸しメダルの不正使用のチェックは、防犯カメラを用いたり、店員や警備員が見回って目視により行なったりしているが、貸し玉・貸しメダル同士の違いが明瞭ではないこともあって、実効性あるチェックは期待できず、結果的にパチンコ店等が損害を被っているのが現状である。
【０００４】
かかる現状を少しでも打破すべく、遊技球（貸し玉）に規則的又は不規則に断面Ｖ字形の溝を刻設し、該溝を統一された色に着色して成るマーキング領域を有する貸し玉が提唱されている（特開２００９−１２５０７８号公報）。この場合は、ある店における正規の貸し玉についてはマーキング領域の色が統一されているので、そこに色の異なる貸し玉が不正に混入されれば、その色の違いから、その不正に混入された貸し玉の存在を容易に視認できるとされる。
【０００５】
しかし、貸し玉の性質上上記マーキング領域の彩色は薄くなされるため、例えば、店内の照明、店舗内に入り込む日光、遊技機の電飾等により、視覚に入る色彩が変化することもあり、店員や警備員が気付かないことも多々あると考えられる。また、十分に注視していたとしても、視覚には限界があり、しかも、店内において死角となる部分が少なくないため、この方法によって、種類（交換率）の異なる貸し玉の混在を識別し、且つ、貸し玉の不正な混入行為を抑止することには限界があると言わざるを得ない。
【先行技術文献】
【特許文献】
【０００６】
【特許文献１】特開２００９−１２５０７８号公報
【特許文献２】特開２００８−１３７０４４号公報
【特許文献３】特開平８−１９６５２号公報
【発明の概要】
【発明が解決しようとする課題】
【０００７】
上述したように、貸し玉・貸しメダルの交換率は店によって統一されておらず、同一店において、階やコーナーによって貸し玉・貸しメダルの交換率を変えたりすることも行われているところから、交換率の低い貸し玉・貸しメダルを交換率の高い貸し玉・貸しメダルに混入して用いる不正が行われているが、従来この不正を効果的に抑止する方法はなく、結局はパチンコ店等の遊技場が損害を被っていた。
【０００８】
本発明はかかる状況に鑑みてなされたもので、比較的低コストにて実施することができて、交換率の低い貸し玉・貸しメダルを交換率の高い貸し玉・貸しメダルに混入して用いたり、他店の貸し玉・貸しメダルを用いたりする不正行為を効果的に抑止することが可能な、貸し玉・貸しメダルの不正混入行為抑止方法を提供することを課題とするものである。
【課題を解決するための手段】
【０００９】
本発明者は、上記課題を解決するに当たり、遊技場の入場者各人を個別に監視することは、人権上問題があるだけでなく、遊技場への出入り並びに遊技場内における移動が頻繁であるところから、実際上個別監視は困難であることに鑑み、各入場者に監視されていることを認識させさえすれば、ある程度の目的を達することができるとの発想の下に、本発明を完成させたものである。
【００１０】
即ち、上記課題を解決するための請求項１に記載の発明は、貸し玉・貸しメダルの表面に色、図形、模様、文字その他の識別要素を付し、店内の貸し玉・貸しメダルの存在する設備の任意の個所に、前記識別要素の識別補助手段を設置することを特徴とする、貸し玉・貸しメダルの不正使用行為抑止方法である。
【００１１】
好ましい実施形態においては、前記識別補助手段はブラックライトとされ、前記識別要素は前記ブラックライト等の識別補助手段の照射により発光する塗料層を含むものとされる。そして、前記ブラックライトの設置位置は、遊技機を複数備える島の任意の個所とされ、あるいは、前記ブラックライトの設置位置は、遊技機、玉・メダル貸し機又は玉・メダル計数機の内側又は外側とされる。そして更に前記ブラックライトは、入場者の目の届く位置に配備される。
【００１２】
更に好ましくは、前記識別要素を認識する手段を配置する。前記識別要素を認識する手段は、顔認証、パターン認識その他の画像処理手段とされ、あるいは、光センサとされる。
【００１３】
前記識別要素を選別する手段は、前記識別要素を有しない貸し玉・貸しメダルを認識した際に外部報知するアラーム手段を有するものとすることができ、その場合、前記アラーム手段は、例えば接点出力等を用い、光及び／又は音等で外部報知するものとされる。
【００１４】
更に、前記識別要素を選別する手段は、前記識別要素を有しない貸し玉・貸しメダルを認識した際に、当該識別要素を有しない貸し玉・貸しメダルを排出する手段を有するものとすることができ、その場合、前記貸し玉・貸しメダルを排出する手段はエアーやソレノイド等とされる。
【発明の効果】
【００１５】
本発明に係る貸し玉・貸しメダルの不正混入行為抑止方法は上記のとおりであって、貸し玉・貸しメダルの表面に色、図形、模様、文字その他の識別要素を付し、店内の貸し玉・貸しメダルの存在する設備の任意の個所に、前記識別要素の識別補助手段を設置することより成るので、その識別補助手段を介して不正な貸し玉・貸しメダルの存在を視認することが容易となり、また、その識別補助手段の存在が不正をしようとする入場者に警戒感を抱かせて、その不正行為の実行を躊躇させることが期待でき、結果的に、交換率の低い貸し玉・貸しメダルを交換率の高い貸し玉・貸しメダルに混入したり、他店の貸し玉・貸しメダルを用いたりする不正行為を抑止することが可能となる効果がある。
【図面の簡単な説明】
【００１６】
【図１】本発明に係る方法において用いる貸し玉及び貸しメダルの構成例を示す図である。
【図２】本発明に係る方法の一実施形態を説明するための、パチンコ島の構成を示す斜視図である。
【発明を実施するための最良の形態】
【００１７】
以下に、本発明を実施するための最良の形態について、図面に依拠して説明する。本発明に係る貸し玉・貸しメダルの不正混入行為抑止方法は、貸し玉・貸しメダルの表面に色、図形、模様、文字その他の識別要素を付し、貸し玉・貸しメダルの存在する店内の任意の設備の任意の位置に、前記識別要素の識別補助手段を設置することを特徴とするものである。
【００１８】
図１は、本発明に係る貸し玉・貸しメダルの不正混入行為抑止方法において用いるのに好適な貸し玉・貸しメダルの例として、パチンコ玉１とメダル１ａを示している（他の貸し玉・貸しメダルの場合も、このパチンコ玉１の例に準ずる）。パチンコ玉１は、一般のものと同様に、鋼材を素材として球状に形成されたものであり、球体周面に、識別要素としてのマーキング領域２が設けられる。メダル１ａも、一般のものと同様に、鋼材を素材として円板状に形成され、その表面に、適宜識別要素が設けられる。
【００１９】
例えば、マーキング領域２は、規則的に又は不規則に刻設された溝に着色して形成されるもので、図示したパチンコ玉１の例では、赤道に沿って延びる複数の細長い周回溝３で構成されている。なお、図示した例では、８本の周回溝３で構成されているが、もちろんこれに限られる訳ではない。また、後述する球表面の乱反射による写り込み効果を発現させるためには、北極部と南極部に反射面となる非刻設部を残すことが有効となるのである。
【００２０】
周回溝３は、金属球に対する転造又はレーザー刻設により、球体表面にＶ字形の溝として形成されるものである。そして、好ましくは、周回溝３に発光塗料を充填する。ここで用いる発光塗料としては、例えば、識別要素の識別補助手段であるブラックライトを照射することによって発光するものとする。周回溝３の幅は、０．２ｍｍ乃至０．４ｍｍであることが好ましい。この範囲の周回溝３は、遊技に支障を来たさない深さであり、塗料充填が可能であり、且つ、発色に十分となるものである。
【００２１】
このようにパチンコ玉１は、赤道に沿って延びる細長い周回溝３を複数設けることにより形成されるマーキング領域２を備え、各周回溝３に、発光塗料、好ましくはブラックライトに反応する塗料が充填される。これにより、マーキング領域２は着色領域ということになり、特に、パチンコ玉１を複数集合させることにより、球表面の乱反射光による写り込み効果が生じ、玉全体が淡く発色することとなり、視認によってパチンコ玉１を識別することが可能となり、そのこと自体によって、交換率違いの設定や特賞球を用いての運営方法の実施が実質的に可能となる。
【００２２】
特に、周回溝３に充填される塗料層としてブラックライトに反応して発光する塗料を用いた場合には、ブラックライトを照射した際の発光が鮮明となり、例えば、交換率毎に異なった色の発色が明瞭となる。従って、ブラックライトの照射により、当該パチンコ玉１がその店の正規の貸し玉か否かを、視覚的に即座に判定することが可能となる。
【００２３】
識別要素の識別補助手段としてのブラックライト等の照射手段４は、一般的なものでよく、その設置場所に合わせ、棒形蛍光灯タイプのもの、豆電球タイプのもの、その他任意の形態のものを用いることができる。照射手段４の設置位置は、例えば、パチンコ機（パチスロ機）６を複数備えるパチンコ島５の任意の個所とされ、あるいは、パチンコ機６や玉・メダル貸し機７、あるいは、玉計数機１１の内側又は外側とされる。
【００２４】
具体的には、独立した又はパチンコ機６に付設された玉・メダル貸し機７の玉排出口８の上方（図２参照）や、パチンコ機６に設けられている受け皿９又は計数皿１０の近傍位置等である。玉排出口８の上方に配置した場合は、パチンコ玉１が流出する際に、その発光する色で正規の貸し玉か否かを確認することができる。また、パチンコ機６のいずれかの電飾個所付近に配置した場合には、パチンコ玉１がパチンコ機６の内部通過中に発する色で以て、正規の貸し玉か否かを確認することができる。貸しメダル１ａについても同様のことが言える。
【００２５】
要するにブラックライト等の照射手段４の設置位置は、それが貸し玉・貸しメダルを照射するためのものであるので、店内の貸し玉・貸しメダルの集まる個所を照射し得る位置ということになるが、入場者にブラックライト等の照射手段４の存在を意識させて不正抑止効果を実効あらしめるためには、入場者の目の届く、目立つ位置に配備することが必要となる。
【００２６】
更に、発展的実施形態として、識別要素を認識する手段を配置することもある。その識別要素認識手段としては、カメラを用いた顔認証やパターン認識による画像処理手段や光センサ等が考えられる。これらの認識手段によって、貸し玉・貸しメダルの色や識別表示（刻印、文字、バーコード、Ｑアールコード等）を認識し、正規の貸し玉・貸しメダル以外のものを検出した際に、外部報知するアラーム手段を設けるようにすることが好ましい。そのアラーム手段は、例えば、接点出力等を用いた、光及び／又は音を発する装置とされる。
【００２７】
そして、更なる発展的実施形態においては、正規の貸し玉・貸しメダル以外のものを検出したときに、それを貸し玉・貸しメダルの流路から排除する手段が配備される。その排除手段としては、貸し玉・貸しメダルの流路に分岐路を設け、不正な貸し玉・貸しメダルをエアーやソレノイドを用いて分岐路に導くことが考えられる。
【００２８】
このように、本発明に係る貸し玉・貸しメダルの不正混入行為抑止方法によれば、貸し玉・貸しメダルの表面に色等の識別要素（例えば、発光塗料層）が付され、店内の貸し玉・貸しメダルの存在する設備の任意の個所に、その識別要素の識別補助手段（例えば、ブラックライト）が設置され、その識別補助手段によって識別要素の確認が容易となるので、当該識別要素有しない不正な貸し玉・貸しメダルの存在を視認することが容易となる。
【００２９】
また、その識別補助手段の存在自体が、不正をしようとする入場者に警戒感を抱かせて、その不正行為の実行を躊躇させることが期待でき、その結果として、交換率の低い貸し玉・貸しメダルを交換率の高い貸し玉・貸しメダルに混入したり、他店の貸し玉・貸しメダルを用いたりする不正行為を抑止することが可能となる。また、同時に、貸し玉・貸しメダルの貸し出し時、遊技中、あるいは、換金時等の種々の場面において貸し玉・貸しメダルを厳重に管理することが可能となり、以て、各パチンコ店等の損害を減少させ、延いては、業界全体の信用の向上に寄与し得るものである。
【００３０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００３１】
１      パチンコ玉（貸し玉・貸しメダル）
２      マーキング領域
３      周回溝
４      照射手段（ブラックライト）
５      パチンコ島
６      パチンコ（パチスロ）機
７      玉・メダル貸し機
８      玉排出口
９      受け皿
１０    計数皿
１１    玉計数機
【図１】
2011087643.tif 000003
【図２】
2011087643.tif 000004